(57)【要約】【課題】電気ボックスの内部への不正なアクセスを防ぐ信頼性が高い電気ボックスの保護構造および保護方法を提供する。【解決手段】電気ボックス１の保護構造が、電気ボックス１に設けられているセキュリティスイッチ７と、電気ボックス１に隣接して配置されるユニット３ａに設けられている操作部３ａ１と、を有する。ユニット３ａが電気ボックス１に隣接して位置する状態では、操作部３ａ１がセキュリティスイッチ７を非作動状態に保ち、ユニット３ａが電気ボックス１から離れて位置する状態では、操作部３ａ１の干渉から解放されたセキュリティスイッチ７が作動する。【選択図】図８
2020088036.tif 000002
【特許請求の範囲】
【請求項１】
電気ボックスに設けられているセキュリティスイッチと、前記電気ボックスに隣接して配置されるユニットに設けられている操作部と、を有し、
前記ユニットが前記電気ボックスに隣接して位置する状態では、前記操作部が前記セキュリティスイッチを非作動状態に保ち、前記ユニットが前記電気ボックスから離れて位置する状態では、前記操作部の干渉から解放された前記セキュリティスイッチが作動する、電気ボックスの保護構造。
【請求項２】
前記操作部は、前記ユニットから前記電気ボックスへ向かって延びて前記セキュリティスイッチに当接する差込部である、請求項１に記載の電気ボックスの保護構造。
【請求項３】
２つの前記ユニットが、前記電気ボックスの互いに対向する側面部にそれぞれ配置されており、
一方の前記ユニットと一体的に移動可能なプレートを有し、
一方の前記ユニットが前記電気ボックスに隣接して位置する状態では、前記プレートの一部が他方の前記ユニットに係合して他方の前記ユニットの一方向への移動を規制し、一方の前記ユニットが前記電気ボックスから離れて位置する状態では、他方の前記ユニットの前記一方向への移動の規制が解除される、請求項１または２に記載の電気ボックスの保護構造。
【請求項４】
前記ユニットが前記電気ボックスに隣接して位置する状態では、前記電気ボックスの固定用のねじが前記ユニットを用いて覆われている、請求項１から３のいずれか１項に記載の電気ボックスの保護構造。
【請求項５】
前記電気ボックスはプロジェクターの内部に設けられており、前記ユニットはファンユニットである、請求項１から４のいずれか１項に記載の電気ボックスの保護構造。
【請求項６】
前記電気ボックスはサーバーコンピュータの内部に設けられており、前記ユニットはファンユニットである、請求項１から４のいずれか１項に記載の電気ボックスの保護構造。
【請求項７】
電気ボックスに隣接してユニットを配置し、前記ユニットに設けられている操作部を前記電気ボックスに設けられているセキュリティスイッチに当接させて、前記セキュリティスイッチを非作動状態に保つことと、前記ユニットを前記電気ボックスから離れるように移動させ、前記操作部を前記セキュリティスイッチから離れさせて、前記セキュリティスイッチを作動させることと、を含む電気ボックスの保護方法。
【発明の詳細な説明】
【技術分野】
【０００１】
本発明は、電気ボックスの保護構造および保護方法に関する。
【背景技術】
【０００２】
プロジェクターなどの電気・電子機器は、一般的に、電気部品や光学部品などの各種の部品が筐体内に内蔵されたボックス状の装置を有している。このような装置を電気ボックスと称する。そして、例えば電気ボックス内の各種部品の過熱を防ぐためのファンを有する冷却ユニットや、電気ボックス内の各種部品を外部の部材と電気的に接続するための基板ユニットなどの様々なユニットが電気ボックスに隣接して配置される。
【０００３】
近年、電気ボックスの内部の各種部品が処理するデータの保護が求められることがある。例えば、プロジェクターにおいて処理される映像データが不正に取得されることを防ぐことが必要な場合がある。そのような場合には、電気ボックスの内部に自由にアクセスできないようにすることが望まれる。特に、電気ボックスのユニットが装着される部分には、開口部が形成されていることがある。従って、ユニットが取り外されると電気ボックスの開口部が露出した状態になり、その開口部から電気ボックスの内部に容易にアクセスできるため、セキュリティ上の重大な問題になる。
【０００４】
特許文献１には、セキュリティスイッチが取り付けられており、カバーを順番通りに外さないと分解できない構造が開示されている。
【先行技術文献】
【特許文献】
【０００５】
【特許文献１】特開２００４−１７２４５５号公報
【発明の概要】
【発明が解決しようとする課題】
【０００６】
特許文献１に記載されている構造では、順番通りにカバーを取り外すとセキュリティスイッチが働くことなく分解できるため、電気ボックス内のデータ等を十分に保護できるわけではない。
【０００７】
そこで本発明の目的は、電気ボックスの内部への不正なアクセスを防ぐ信頼性が高い電気ボックスの保護構造および保護方法を提供することにある。
【課題を解決するための手段】
【０００８】
本発明の電気ボックスの保護構造は、電気ボックスに設けられているセキュリティスイッチと、電気ボックスに隣接して配置されるユニットに設けられている操作部と、を有し、ユニットが電気ボックスに隣接して位置する状態では、操作部がセキュリティスイッチを非作動状態に保ち、ユニットが電気ボックスから離れて位置する状態では、操作部の干渉から解放されたセキュリティスイッチが作動する。
【０００９】
本発明の電気ボックスの保護方法は、電気ボックスに隣接してユニットを配置し、ユニットに設けられている操作部を電気ボックスに設けられているセキュリティスイッチに当接させて、セキュリティスイッチを非作動状態に保つことと、ユニットを電気ボックスから離れるように移動させ、操作部をセキュリティスイッチから離れさせて、セキュリティスイッチを作動させることと、を含む。
【発明の効果】
【００１０】
本発明の電気ボックスの保護構造および保護方法によると、電気ボックスの内部への不正なアクセスを防ぐ信頼性が高い。
【図面の簡単な説明】
【００１１】
【図１】本発明の一実施形態の電気ボックスの保護構造を含むプロジェクターの斜視図である。
【図２】（ａ）は図１に示すプロジェクターの電気ボックスとユニットの斜視図、（ｂ）は１つのユニットとその周辺を示す、（ａ）とは異なる角度から見た斜視図である。
【図３】図１に示すプロジェクターのファンユニットと基板固定金具とプレートを示す斜視図である。
【図４】（ａ）は図３に示す基板固定金具の斜視図、（ｂ）は（ａ）とは異なる角度から見た斜視図、（ｃ）はセキュリティスイッチとその周辺を示す斜視図である。
【図５】図３に示すプレートの斜視図である。
【図６】図３に示す一方のファンユニットの斜視図である。
【図７】図３に示す他方のファンユニットの斜視図である。
【図８】（ａ）は図２に示す電気ボックスから一方のファンユニットを取り外す過程を示す斜視図、（ｂ）は一方のファンユニットとプレートの係合状態を示す斜視図、（ｃ）は他方のファンユニットとプレートの係合状態を示す斜視図である。
【図９】図２に示す電気ボックスからファンユニットを取り外す過程を示す斜視図である。
【図１０】（ａ）は図２に示す電気ボックスの、ファンユニットを取り外した状態を示す斜視図、（ｂ）は（ａ）とは異なる角度から見た斜視図である。
【図１１】（ａ）本発明の他の実施形態の電気ボックスの保護構造を含むサーバーの斜視図、（ｂ）は（ａ）に示すサーバーに含まれる１つのコンピュータの斜視図、（ｃ）は（ｂ）に示すコンピュータに含まれる電気ボックスおよびユニットの斜視図である。
【図１２】（ａ）は本発明のさらに他の実施形態の電気ボックスの保護構造においてユニットが電気ボックスに隣接している状態を模式的に示す概略図、（ｂ）はそのユニットが電気ボックスから離れている状態を模式的に示す概略図である。
【発明を実施するための形態】
【００１２】
以下、本発明の実施形態について図面を参照して説明する。
図１に、本発明の電気ボックス１を含むプロジェクター２が示されている。このプロジェクター２は、図示しないが光源や光学部品や電気部品等を内蔵しており、供給されたデータに基づいて画像や映像を外部に投射する装置である。プロジェクター２の内部の各種の部品の一部は、図２に示す電気ボックス１に内蔵されている。電気ボックス１は、通常は背面パネル９の開口部９ａから露出している。図１では、判りやすくするために、電気ボックス１の配置部分を２点鎖線で示している。プロジェクター２の内部には、図２に示すように、電気ボックス１が内蔵する各種部品を冷却するためのファンユニット３ａ，３ｂと、外部の部材と電気的に接続するための接続部等を有する基板ユニット４が配置されている。これらのユニット（ファンユニット３ａ，３ｂおよび基板ユニット４）は電気ボックス１の各面のいずれかにそれぞれ取り付けられている。
【００１３】
本実施形態の電気ボックス１は、図３，４に示す基板固定金具５を有している。この基板固定金具５が電気ボックス１の３つの側面に位置している。基板固定金具５の互いに対向する２つの側面部に、ファンユニット３ａ，３ｂが取り付けられている。それらの側面部の底部には切欠き部５ａ，５ｂが設けられている。電気ボックス１の底部には、図３，５に示す細長い帯状のプレート６が配置されている。プレート６の両端部には曲げ部６ａ，６ｂがそれぞれ形成されており、曲げ部６ａ，６ｂが切欠き部５ａ，５ｂの内部にそれぞれ配置される。プレート６の曲げ部６ａ，６ｂ間の距離は、基板固定金具５の切欠き部５ａ，５ｂ間の距離よりも長く、プレート６は基板固定金具５の下方で長手方向にスムーズにスライドできる。
【００１４】
図６に示すように、基板固定金具５に取り付けられるファンユニット３ａは、スリット３ａ２と、スリット３ａ２と並んで位置する操作部である凸状の差込部３ａ１とを有している。図７に示すように、ファンユニット３ｂには、曲げ部３ｂ１が設けられている。図８に示すように、ファンユニット３ａのスリット３ａ２には、プレート６の一端部の曲げ部６ａが挿入されている。プレート６の他端部の曲げ部６ｂは、もう１つのファンユニット３ｂに係合して、ファンユニット３ｂが上方に移動できないように押さえる役割を有している。ファンユニット３ｂの曲げ部３ｂ１は、基板固定金具５の底部の凹部に挿し込まれており、その状態でファンユニット３ｂは上下方向以外の方向への移動が規制されている。
【００１５】
図４，８（ａ）に示すように、電気ボックス１には、セキュリティスイッチ７が取り付けられている。本実施形態のセキュリティスイッチ７は、変位可能な接片７ａを有しており、接片７ａの押圧および押圧解除が行われることでオンとオフが切り換えられる。そして、本実施形態のセキュリティスイッチ７が作動すると、電気ボックス１の内部の電気部品の動作が停止させられて動作不能になる。本実施形態において、電気ボックス１にファンユニット３ａが取り付けられた状態では、差込部３ａ１が接片７ａに当接して、セキュリティスイッチ７を非作動状態に維持している。セキュリティスイッチ７の周囲は、カバー状の保護金具８に覆われており、ファンユニット３ａの差込部３ａ１以外の方法で意図的に、または意図せずに外部からセキュリティスイッチ７を操作することを防いでいる。なお、本発明のセキュリティスイッチ７は接片７ａを有する構成に限られず、差込部３ａ１との係合および係合解除が行われることでオンとオフが切り換えられるものであればどのような構成であってもよい。また、セキュリティスイッチ７の作動時に電気ボックス１が動作不能になる構成に限られず、異常を知らせる音や警告表示を発する構成や、電気ボックスの動作の一部を一時停止または変更する構成などであってもよい。
【００１６】
以上説明したように、本実施形態では、電気ボックス１の側面を構成する基板固定金具５に、ファンユニット３ａ，３ｂがそれぞれ取り付けられている。ファンユニット３ａのスリット３ａ２に曲げ部６ａが挿入されて、ファンユニット３ａとプレート６とが一体的にスライド可能になっている。プレート６の曲げ部６ｂはファンユニット３ｂに係合し、ファンユニット３ｂの曲げ部３ｂ１はプレート６に係合している。そして、ファンユニット３ａの差込部３ａ１が、セキュリティスイッチ７の接片７ａに当接している。この状態で、セキュリティスイッチ７は動作せず、電気ボックス１の内部の様々な部品は通常通りに動作可能である。
【００１７】
この状態から電気ボックス１を取り出すためには、ファンユニット３ａ，３ｂを取り外す必要がある。これは、ファンユニット３ａ，３ｂが電気ボックスに隣接して位置する取付状態では、電気ボックス１を固定するねじ１０（図９参照）がファンユニット３ａ，３ｂに隠れていて取り外せないからである。そこで、ファンユニット３ａ，３ｂがねじ等の固定部材（図示せず）を用いて基板固定金具５に固定されている場合には、まずこれらの固定部材を外す。そして、図８（ａ）の矢印Ａ１で示すように、ファンユニット３ａを、プレート６の長手方向に沿って基板固定金具５の側面部から離れるように移動させる。この時、ファンユニット３ａの差込部３ａ１がセキュリティスイッチ７の接片７ａから離れ、差込部３ａ１の干渉から解放されたセキュリティスイッチ７が作動する。それにより、電気ボックス１への電力の供給が遮断されるなどして電気ボックス１の内部の各部品が動作不能になったり、それらの動作の一部を一時停止または変更したり、警告音や警告表示を発して異常を報知したりするなど、セキュリティのための処理が行われる。
【００１８】
また、ファンユニット３ａと一体的にプレート６が長手方向にスライドして、プレート６の曲げ部６ｂがファンユニット３ｂから離れる。それにより、ファンユニット３ｂは上下方向に移動可能になる。そこで、基板固定金具５の側面部から離れるように移動したファンユニット３ａと、プレート６の曲げ部６ｂによる規制が解除されたファンユニット３ｂとを、図９の矢印Ａ２で示すように、上方に移動させる。このようにして、ファンユニット３ａ，３ｂを基板固定金具５から取り外す。図１０に示すようにファンユニット３ａ，３ｂが取り外されるとねじ１０が露出するため、ねじ１０を外して電気ボックス１を取り外す。この時、差込部３ａ１から離れたセキュリティスイッチ７が作動しているため、電気ボックスの正常な動作ができなくなっていたり、異常が報知されていたりする。それにより、電気ボックス内の部品が処理するデータを取得することが不可能になることや、異常を知らされた担当者が不正防止のための措置を行うことなどで、データの不正な取得を防ぐことができる。
【００１９】
図１１には、本発明の他の実施形態として、本発明をサーバーに採用した例を示している。図１１（ａ）に示すケーシング１１に収容されたサーバーは、図１１（ｂ）に示すコンピュータ１２を有している。そしてこのコンピュータ１２には、図１１（ｃ）に示す電気ボックス１３とファンユニット１４等が内蔵されている。この電気ボックス１３の保護構造および保護方法は、前述したプロジェクターの実施形態と同じであるので説明を省略する。
【００２０】
図１２には本発明のより単純な実施形態を模式的に示している。本実施形態の電気ボックスの保護構造は、電気ボックス１５に設けられているセキュリティスイッチ１６と、電気ボックス１５に隣接して配置されるユニット１７に設けられている操作部１８と、を有する。図１２（ａ）に示すようにユニット１７が電気ボックス１５に隣接して位置する状態では、操作部１８がセキュリティスイッチ１６を非作動状態に保ち、図１２（ｂ）に示すようにユニット１７が電気ボックス１５から離れて位置する状態では、操作部１８の干渉から解放されたセキュリティスイッチ１６が作動する。
【００２１】
そして、本実施形態の電気ボックスの保護方法は、電気ボックス１５に隣接してユニット１７を配置し、ユニット１７に設けられている操作部１８を電気ボックス１５に設けられているセキュリティスイッチ１６に当接させて、セキュリティスイッチ１６を非作動状態に保つことと、ユニット１７を電気ボックス１５から離れるように移動させ、操作部１８をセキュリティスイッチ１６から離れさせて、セキュリティスイッチ１６を作動させることと、を含む。
【００２２】
以上説明したように、本発明では、電気ボックスに隣接して配置されるユニットの取り外しに連動してセキュリティスイッチを動作させるという、新規な構造および方法を提案している。セキュリティスイッチの具体的な動作については限定されないが、セキュリティスイッチが動作することで、電気ボックスに内蔵された部品が処理するデータ等へのアクセスを不可能にするか、または制限する。それにより、データの不正な取得等の問題を未然に防ぐことが可能になる。電気ボックスは、前述したようにプロジェクターや、サーバーや、それ以外の様々な電子・電気機器に内蔵または搭載されるものであってよい。そして、電気ボックスに隣接するユニットはファンユニットや基板ユニットに限られず、様々な用途および構成のユニットであってよい。各ユニットは、セキュリティを考慮すると開口部がないものが望ましいが、冷却等のために開口部が設けられたものであってもよい。
【符号の説明】
【００２３】
１          電気ボックス
２          プロジェクター
３ａ，３ｂ  ファンユニット
３ａ１      差込部（操作部）
３ａ２      スリット
３ｂ１      曲げ部
４          基板ユニット
５          基板固定金具
５ａ，５ｂ  切欠き部
６          プレート
６ａ，６ｂ  曲げ部
７          セキュリティスイッチ
７ａ        接片
８          保護金具
９          背面パネル
９ａ        開口部
１０        ねじ
１１        ケーシング
１２        コンピュータ
１３        電気ボックス
１４        ファンユニット
１５        電気ボックス
１６        セキュリティスイッチ
１７        ユニット
１８        操作部
【図１】
2020088036.tif 000003
【図２】
2020088036.tif 000004
【図３】
2020088036.tif 000005
【図４】
2020088036.tif 000006
【図５】
2020088036.tif 000007
【図６】
2020088036.tif 000008
【図７】
2020088036.tif 000009
【図８】
2020088036.tif 000010
【図９】
2020088036.tif 000011
【図１０】
2020088036.tif 000012
【図１１】
2020088036.tif 000013
【図１２】
2020088036.tif 000014